(57)【要約】【課題】簡単に予約再生設定を行うことができる再生装置を提供することを目的とする。【解決手段】映像データのファイルのファイル名に日時を付与した記録媒体を、再生装置としてのテレビジョン受像機１に挿入してセットすると、ファイル名の日時が不揮発性メモリー５の領域に格納される。不揮発性メモリー５に格納した日時になった時、この日時に対応したファイルの映像データを自動的に再生するマイコン６を備えるので、記録媒体をテレビジョン受像機１にセットするだけで、予約再生設定を簡単に行うことができる。【選択図】図１
2007124120.tif 000002
【特許請求の範囲】
【請求項１】
映像データの記録された記録媒体を外部から挿入し、この記録媒体に記録されている映像データを再生する再生装置において、前記映像データのファイルのファイル名に日時を付与した記録媒体を前記再生装置に挿入した際、前記日時が前記再生装置に備えた不揮発性メモリーの領域に格納され、この不揮発性メモリーに格納している日時になったとき、この日時に対応したファイルの映像データを自動的に再生する制御手段を備えたことを特徴とする自動再生機能を有する再生装置。
【請求項２】
前記再生装置の電源がオフの場合、前記映像データを自動的に再生する際には、前記制御手段が前記再生装置の電源をオンにしてから前記映像データを再生することを特徴とする請求項１記載の自動再生機能を有する再生装置。
【請求項３】
複数種類の記録媒体を再生可能としたことを特徴とする請求項１又は２記載の自動再生機能を有する再生装置。
【請求項４】
前記再生装置に、前記映像データの映像と前記ファイル名の日時とを少なくとも表示する表示手段を備えたことを特徴とする請求項１〜３の何れか１項に記載の自動再生機能を有する再生装置。
【発明の詳細な説明】
【技術分野】
【０００１】
本発明は、記録媒体に記録したファイルを、予約設定した時間に自動的に再生する自動再生機能を有する再生装置に関する。
【背景技術】
【０００２】
近年、録画予約機能を備えた電子機器においては、放送番組を録画する日時とチャンネルをメモリーに記憶したデータを基にして設定を行ったり、或いは、ＥＰＧ（Ｅｌｅｃｔｒｉｃａｌ  Ｐｒｏｇｒａｍ  Ｇｕｉｄｅ：電子プログラムガイド）やＧコードを利用して録画予約の設定をすることで、録画したい番組を簡単に予約設定するものが利用されており、こうした録画予約機能に関連する技術として、録画機能を有さないテレビジョン受像機などの再生装置においては、前述した録画予約と同じような方法で、録画の代わりに見たい番組を前もって予約設定することができる再生装置が用いられている。特許文献１及び特許文献２には、映像のファイルのファイル名に日時を付与し、こうした日時を付与したファイル名がいつ作成されたものであるのかを確認することができる従来技術が開示されており、また、近頃はメモリーカードやＤＶＤなどの複数種類の記録媒体に記録した映像であっても再生することが可能なテレビも登場してきている。
【０００３】
【特許文献１】特開２００２−７４８０号公報
【特許文献２】特開平１１−１７５３８０号公報
【発明の開示】
【発明が解決しようとする課題】
【０００４】
しかし、前述した複数種類の記録媒体に記録した映像再生を行うことが可能なテレビなどの電子機器においては、複数種類の記録媒体に対応していることで、その設定方法が複雑になってしまうため、設定を簡単に行うことができないといった課題を有していた。
【０００５】
本発明は上記課題に鑑みてなされたものであり、煩わしい設定操作を行うことなく、簡単に予約再生設定を行うことができる操作性を向上した自動再生機能を有する再生装置を提供することを目的とする。
【課題を解決するための手段】
【０００６】
請求項１に係る再生機能を有する再生装置は、映像データの記録された記録媒体を外部から挿入し、この記録媒体に記録されている映像データを再生する再生装置において、前記映像データのファイルのファイル名に日時を付与した記録媒体を前記再生装置に挿入した際、前記日時が前記再生装置に備えた不揮発性メモリーの領域に格納され、この不揮発性メモリーに格納している日時になったとき、この日時に対応したファイルの映像データを自動的に再生する制御手段を備えたことを特徴とする。
【０００７】
請求項１の構成により、再生装置にファイル名として日時の付与されたファイルの記録された記録媒体を挿入すると、その日時が不揮発性メモリーの領域に格納され、この不揮発性メモリーに格納された日時になると、この格納された日時に基づいて、その日時を付与したファイルの映像データが自動的に再生される。
【０００８】
請求項２に係る再生機能を有する再生装置は、請求項１記載の再生機能を有する再生装置において、前記再生装置の電源がオフの場合、前記映像データを自動的に再生する際には、前記制御手段が前記再生装置の電源をオンにしてから前記映像データを再生することを特徴とする。
【０００９】
請求項２の構成により、映像データを自動的に再生する際、予め再生装置の電源をオンにしておかなくても、自動的に再生装置の電源がオンとなり、続いて自動的に映像データが再生される。
【００１０】
請求項３に係る再生機能を有する再生装置は、請求項１又は２記載の再生機能を有する再生装置において、複数種類の記録媒体を再生可能としたことを特徴とする。
【００１１】
請求項３の構成により、例えば、ＤＶＤやメモリーカードなどの複数種類の記録媒体を再生することが可能となることで、より利便性が高くなる。
【００１２】
請求項４に係る再生機能を有する再生装置は、請求項１〜３の何れか１項に記載の再生機能を有する再生装置において、前記再生装置に、前記映像データの映像と前記ファイル名の日時とを少なくとも表示する表示手段を備えたことを特徴とする。
【００１３】
請求項４の構成によれば、再生される映像データを、映像として表示手段に表示させながら再生することができ、さらに、表示手段にファイル名である日時を表示することで、再生日時を目視により確認することができる。
【発明の効果】
【００１４】
請求項１に係る再生機能を有する再生装置によれば、映像データの記録された記録媒体を外部から挿入し、この記録媒体に記録されている映像データを再生する再生装置において、前記映像データのファイルのファイル名に日時を付与した記録媒体を前記再生装置に挿入した際、前記日時が前記再生装置に備えた不揮発性メモリーの領域に格納され、この不揮発性メモリーに格納している日時になったとき、この日時に対応したファイルの映像データを自動的に再生する制御手段を備えたので、所定の日時に自動的に再生を開始できることで、例えば、再生装置に接続した表示手段などに再生映像を自動的に表示することが可能となり、煩わしい再生予約設定を行うことなく、単に記録媒体を再生装置に挿入するだけで、再生装置への予約再生設定を簡単に行うことができるので、操作性に優れる。
【００１５】
請求項２に係る再生機能を有する再生装置によれば、請求項１記載の再生機能を有する再生装置において、前記再生装置の電源がオフの場合、前記映像データを自動的に再生する際には、前記制御手段が前記再生装置の電源をオンにしてから前記映像データを再生するので、予め再生装置の電源をオンにする煩雑な操作を簡略し、より一層簡単に映像データを再生することが可能となる。
【００１６】
請求項３に係る再生機能を有する再生装置によれば、請求項１又は２記載の再生機能を有する再生装置において、複数種類の記録媒体を再生可能としたので、例えば、ＤＶＤやメモリーカードなどの複数種類の記録媒体に記録した映像データを再生することができるので、より利便性が高い再生装置を得ることができる。
【００１７】
請求項４に係る再生機能を有する再生装置によれば、請求項１〜３の何れか１項に記載の再生機能を有する再生装置において、前記再生装置に、前記映像データの映像と前記ファイル名の日時とを少なくとも表示する表示手段を備えたので、再生日時の内容を簡単に把握することができる。
【発明を実施するための最良の形態】
【００１８】
以下、本発明を実施するための最良の形態としての実施例を図１及び図２を参照して説明する。もちろん、本発明は、その発明の趣旨に反さない範囲で、実施例において説明した以外のものに対しても容易に適用可能なことは説明を要するまでもない。
【００１９】
図１は本発明の一例におけるテレビジョン受像機の全体構成を示すブロック図である。同図に示すテレビジョン受像機１は、複数種類の記録媒体を自動再生する機能を有する再生装置としてのテレビジョン受像機であり、従来からの機器と同様に予約再生設定機能を有する。なお、「予約再生設定」とは、予約した時間になると、自動的に再生が開始される設定を意味する。複数種類の記録媒体を自動再生する機能を有する再生装置としてのテレビジョン受像機１であれば、「予約再生設定」が設定されると、テレビジョン受像機１の不揮発性メモリー５には、少なくとも、再生するもの（テレビ放送のどのチャンネルを受信して再生するのか、あるいは複数種類の記録媒体のうちどの記録媒体を再生するのか）、再生開始日、再生開始時刻、が記憶される。
【００２０】
テレビジョン受像機１には、映像及び音声の再生用のＨＤＤドライブ２、記録媒体たるＤＶＤを再生するＤＶＤユニット３、記録媒体たるメモリーカードの再生を行うメモリーカード用装置４、ＤＶＤやメモリーカードなどの記録媒体に記録されているファイルのファイル名としての日時を格納する不揮発性メモリー５、この不揮発性メモリー５に記憶されたデータに基づいて、前記ＨＤＤドライブ２、ＤＶＤユニット３、及びメモリーカード用装置４などのテレビジョン受像機１の全体の動作を制御する制御手段たるマイコン６、映像を表示する表示手段たるＬＣＤ装置７、マイコン６からの出力信号によりＬＣＤ装置７を駆動するドライブ回路８、テレビジョン受像機１と外部の電子機器とを接続する外部入出力端子９、記録媒体に記録されたデータの圧縮や伸張（再生）のための変換をするMPEG  CODEC１０、現在時刻を計時する計時手段１１などで構成されている。なお、本実施例におけるＤＶＤなどの記録媒体には、映像データのファイルが記録されており、このファイルのファイル名には予め日時が付与されているものである。
【００２１】
図２はテレビジョン受像機の予約再生設定の手順を示すフローチャートであり、同図に基づいてＤＶＤに記録されているファイルの映像データが、自動的に再生される手順について以下に説明する。
【００２２】
先ず映像データの記録されたＤＶＤをテレビジョン受像機１のＤＶＤユニット３に挿入してセットすると（ステップ１）、次に、挿入されたＤＶＤに予め記録されているファイル名が、MPEG  CODEC１０を介してマイコン６により読み出され（ステップ２）、次に、マイコン６が、そのファイル名が日時であるのか否かを判別する（ステップ３）。
【００２３】
ここで、挿入されたＤＶＤのファイル名が日時となっていなければ、テレビジョン受像機１における予約再生設定は行われない（ステップ５）。一方、ファイル名が日時になっている際には、そのファイル名の日時と、計時手段１１の現在時刻との比較がマイコン６により行われ（ステップ４）、ファイル名の日時が現在時刻よりもそれ以前の時刻（過去の時刻）であれば、予約再生設定は行わない（ステップ７）。一方、ファイル名の日時が現在時刻よりも以降（将来の時刻）であれば、マイコン６は、そのファイル名の日時を再生開始日及び再生開始時刻とみなし、ファイル容量などからＤＶＤの再生時間が算出されると共に、その再生開始時刻と再生時間から再生終了時刻の算出が行われる（ステップ６）。
【００２４】
次に、前記ＤＶＤのファイル名の日時が、テレビジョン受像機１の不揮発性メモリー５に予め記憶されている再生開始時刻（元々予約再生設定されている日時）より以前であれば（ステップ８）、予約再生設定を行わない（ステップ１０）、一方、ＤＶＤのファイル名の日時が、不揮発性メモリー５に予め記憶されている再生開始時刻以降であれば（ステップ８）、ステップ９に進み、ここで、ステップ６で算出された再生終了時刻と不揮発性メモリー５に予め記憶されている再生開始時刻とをマイコン６が比較し、ステップ６で算出されたＤＶＤの再生終了時刻が不揮発性メモリー５に予め記憶されている再生開始時刻よりも以前の時刻であれば（ファイルの再生時間と不揮発性メモリー５に予め記憶されている再生開始時刻とが重ならなければ）、マイコン６は、ＤＶＤのファイル名の日時（再生開始日及び再生開始時刻）と再生するのはＤＶＤユニット３のＤＶＤであることを不揮発性メモリー５に更新登録して自動再生設定を行う（ステップ１１）。なお、テレビジョン受像機１の不揮発メモリー５に再生開始時刻が記憶されていない場合には、予約再生設定がされていないということなので、そのままファイル名の日時（再生開始日及び再生開始時刻）と再生するのはＤＶＤユニット３であることを不揮発性メモリー５に登録して自動再生設定を行う。そして、前記ステップ１１にて不揮発性メモリー５に登録された新しい再生開始日及び再生開始時刻と計時手段１１の現在の時刻との比較がマイコン６により行われ（ステップ１２）、現在の時刻より新しい再生開始日及び再生開始時刻が以前の際は、繰り返しステップ１２での比較が行われ、一方、現在の時刻と新しい再生開始日及び再生開始時刻とがイコールの際は、マイコン６がＤＶＤの再生を自動的に開始する（ステップ１３）。そして、その再生が終了すると（ステップ１４）、ステップ２に戻り、ファイル名の読み出しが行われる。なお、ステップ９にて、ステップ６で算出されたＤＶＤの再生終了時刻が、不揮発性メモリー５に予め記憶されている再生開始時刻よりも以降の時刻であれば（ＤＶＤのファイルの再生時間と不揮発性メモリー５に予め記憶されている再生開始時刻とが重なったならば）、どちらの再生を優先するのかをユーザに選択させるために、ＬＣＤ装置７に新しいファイル名の日時を選択するのか、それとも元々設定されていたファイル名の日時を選択するのかを、ＬＣＤ装置７に表示した選択項目などによりユーザに選択させる（ステップ１５）。そして、ユーザがＤＶＤのファイル名の日時（再生開始日及び再生開始時刻）を選択した際には、このファイル名の日時が不揮発性メモリー５に更新登録され（ステップ１６）、ステップ１２に進む。一方、ユーザが、不揮発性メモリー５に元々予約再生設定されていた日時を選択した際には、予約再生設定を行わない（ステップ１７）。なお、ステップ１３において、再生が自動的に開始される際、テレビジョン受像機１の電源がオフのときには、マイコン６によりテレビジョン受像機１の電源は自動的にオンにされた後、ＤＶＤの再生が自動的に開始される。
【００２５】
また、上述した予約再生設定が行われると、テレビジョン受像機１の不揮発性メモリー５には、少なくとも、再生するもの（複数種類の記録媒体のうちどの記録媒体を再生するのか）、再生開始日、再生開始時刻、が記憶される。
【００２６】
以上のように本実施例では、テレビジョン受像機１に記録媒体たるＤＶＤをセットすると、自動的に予約再生設定が行われるので、従来のように、いちいち操作ボタンなどにより、予約再生のための煩わしい設定をすることなく、簡単に予約再生設定を行うことができるので、利便性を向上することができる。しかも、本実施例におけるテレビジョン受像機１は、ＤＶＤやメモリーカードなどの複数種類の記録媒体を再生することが可能なので、単独の記録媒体のみの再生のみにしか対応していない機器に比べ、実際的にはＤＶＤやメモリーカードなどの複数種類の記録媒体に記録した映像データを再生することができることで、より利便性が高いテレビジョン受像機１を得ることができる。さらに、ステップ１５では、ＬＣＤ装置７に新しいファイル名の日時を選択するのか、それとも元々設定されていたファイル名の日時を選択するのかの選択項目を表示し、この表示により選択できるようにしたため、ユーザの希望通りに選択した方で再生することができる。しかも、ファイルの映像データの映像表示に加え、ファイル名の日時を表示するＬＣＤ装置７を備えたので、ユーザは再生日時の内容を簡単に把握することができる。
【００２７】
なお、本実施例では、表示手段としてＬＣＤ装置７を用いているが、これに限定するものではなく、これに代えてＰＤＰ装置やＣＲＴ装置を適用しても良いことは言うまでもない。また、前述した図２においては、記録媒体としてＤＶＤを挿入した一例を示しているが、これに限定するものではなく、メモリーカードなど種々の記録媒体を適用しても前述した作用効果を奏するものである。
【図面の簡単な説明】
【００２８】
【図１】本発明におけるテレビジョン受像機の全体構成を示すブロック図である。
【図２】同上、テレビジョン受像機の予約再生設定の手順を示すフローチャートである。
【符号の説明】
【００２９】
１  テレビジョン受像機（再生装置）
５  不揮発性メモリー
６  マイコン（制御手段）
７  ＬＣＤ装置（表示手段）
【図１】
2007124120.tif 000003
【図２】
2007124120.tif 000004